(57)【特許請求の範囲】
【請求項１】
建築物の壁内に配管される給水又は給湯用配管の端部に、壁材を施工する間接続しておく接続予備栓具であって、
給水又は給湯用配管の端部に対して螺入される螺合部と、
その螺合部より外端側に突出形成され、外径が前記螺合部の外径よりも小さくなるように形成された突出部と、
突出部の先端外周に前記螺合部を給水又は給湯用配管の端部から螺退させるために工具を掛けるための係合部と
を備え、前記螺合部の内部に、螺合部を給水又は給湯用配管の端部から螺退させるために工具を掛けるための係合用穴を設けた接続予備栓具。
【請求項２】
前記突出部の内部に、螺合部を給水又は給湯用配管の端部から螺退させるために工具を掛けるための係合用穴を設けた請求項１に記載の接続予備栓具。
【請求項３】
前記螺合部の内部の係合用孔は、前記突出部の内部の係合用穴よりも大きい請求項２に記載の接続予備栓具。
【発明の詳細な説明】
【０００１】
【発明の属する技術分野】
この発明は、建築物内部の台所や洗面所などにおいて、壁内の給水、給湯用配管に水栓金具を接続する前に予備的に使用する接続予備栓具に関するものである。
【０００２】
【従来の技術】
従来、この種の接続予備栓具としては、図６及び図７に示すようなものが知られている。すなわち、給水、給湯用の鉄製の配管３１は、その端部がコンクリート製の壁本体３２に嵌合されている。接続予備栓具はその基端部のねじ部３３が給水、給湯用の配管３１に螺合されるとともに、ねじ部３３より外側の突出部３４は段差３５を介して外方へ突出形成されている。
【０００３】
この突出部３４はねじ部３３より拡径されるとともに、外端側ほど拡径されたテーパ状に形成されている。さらに、ナット部３６はその突出部３４の外端部に形成され、接続予備栓具のねじ部３３を給水、給湯用の配管３１に螺合又は螺退させるようになっている。珪酸カルシウムのボードよりなる壁材３７は壁本体３２の外面に施工され、その壁材３７上に布材が貼着される。
【０００４】
そして、給水、給湯用の配管３１の端部に接続予備栓具のねじ部３３を螺合した状態で、給水、給湯用配管３１の漏れ試験を行う。次に、壁本体３２の外面に、予め接続予備栓具を挿通するための挿通孔３８をあけた壁材３７を立てて、その挿通孔３８を配管３１に嵌挿する。次いで、壁材３７を壁本体３２に取付固定する。
【０００５】
壁材３７の施工後に接続予備栓具のねじ部３３を給水、給湯用配管３１の端部から螺退し、接続予備栓具を配管３１から抜き取る。続いて、図示しない水栓金具としての蛇口を壁材３７の挿通孔３８を通して給水、給湯用配管３１の端部に螺合し、蛇口を配管３１の端部に取付ける。その後、壁材３７に開いている蛇口周囲の挿通孔３８を埋める。
【０００６】
【発明が解決しようとする課題】
ところが、この従来の接続予備栓具は、給水又は給湯用の配管３１に螺合されるねじ部３３より外側の突出部３４がねじ部３３より拡径され、かつ外端側ほど拡径されたテーパ状に形成されている。このため、壁材３７の挿通孔３８を接続予備栓具に嵌挿するために、最も径の大きいナット部３６の外径より大きな孔を開ける必要があり、しかも壁材３７を立てたとき、挿通孔３８と接続予備栓具の位置がずれた場合、挿通孔３８をさらに大きくしなければならない。
【０００７】
そのようにしなければ、接続予備栓具を給水、給湯用配管３１に装着し、壁材３７を施工した後、接続予備栓具を壁材３７の挿通孔３８から抜き出すこともできない。
【０００８】
このため、壁材３７にそのような大きな挿通孔３８を逐一開ける作業が面倒であるとともに、蛇口を給水、給湯用配管３１に取付けた後にその挿通孔３８を埋め戻さなければならず、その部分の外観を損なうという問題があった。
【０００９】
従って、突出部３４の径をねじ部３３の径よりも小さくすることも考えられるが、突出部３４の強度が弱くなり、抜き取る場合に突出部３４の部分で破損するおそれがあり、破損すると抜き取ることができなくなり、実用化されていないのが実情である。
【００１０】
この発明は、このような従来技術に存在する問題に着目してなされたものである。その目的とするところは、壁材に開ける孔を小さくして、孔開けや埋め戻しの作業を容易にしつつ、壁の外観を良好に保持できる接続予備栓具を提供することにある。その他の目的とするところは、突出部が破損した場合でも容易に抜き取ることが可能な接続予備栓具を提供することにある。
【００１１】
【課題を解決するための手段】
上記の目的を達成するために、請求項１に記載の発明の接続予備栓具は、建築物の壁内に配管される給水又は給湯用配管の端部に、壁材を施工する間接続しておく接続予備栓具であって、給水又は給湯用配管の端部に対して螺入される螺合部と、その螺合部より外端側に突出形成され、外径が前記螺合部の外径よりも小さくなるように形成された突出部と、突出部の先端外周に前記螺合部を給水又は給湯用配管の端部から螺退させるために工具を掛けるための係合部とを備え、前記螺合部の内部に、螺合部を給水又は給湯用配管の端部から螺退させるために工具を掛けるための係合用穴を設けたものである。
【００１２】
請求項２に記載の発明では、請求項１に記載の接続予備栓具において、前記突出部の内部に、螺合部を給水又は給湯用配管の端部から螺退させるために工具を掛けるための係合用穴を設けたものである。
【００１３】
請求項３に記載の発明では、請求項２に記載の接続予備栓具において、前記螺合部の内部の係合用孔は、前記突出部の内部の係合用穴よりも大きい。
【００１４】
従って、請求項１に記載の接続予備栓具においては、建築物の壁を形成する前に、壁内に配管される給水又は給湯用配管の端部に接続予備栓具の螺合部が螺合される。壁の形成後、接続予備栓具の突出部先端外周に形成された螺合部に工具を掛けて回すことにより、接続予備栓具は給水又は給湯用配管の端部から螺退される。
【００１５】
このとき、接続予備栓具の突出部の外径が螺合部の外径よりも小さくなるように形成されていることから、壁材に予め開ける孔やその後その孔を削って拡げる場合に極端に大きくする必要がなく、そのための孔開け作業や埋め戻し作業を容易にすることができる。また、突出部全体が破損したときでも、螺合部の内部の係合用穴に工具を掛けることにより、接続予備栓具を給水又は給湯用配管の端部から抜き出すことができる。
【００１６】
請求項２に記載の発明の接続予備栓具においては、突出部の内部に係合用穴が設けられていることから、突出部の先端側が破損したときでも、この係合用穴に工具を掛けることにより、接続予備栓具を給湯用配管の端部から抜き出すことができる。
【００１８】
【発明の実施の形態】
以下、この発明を具体化した実施形態を、図面に基づいて詳細に説明する。
図１及び図２に示すように、給水又は給湯のための円筒状の配管１１は、その端部が建築物のコンクリート製の壁本体１２に貫通固定され、端部内面に雌ねじ１３が形成されている。接続予備栓具はポリアセタール（ＰＯＭ）により形成され、基端の螺合部１４と、その螺合部１４より縮径された突出部１５と、その突出部１５の先端に形成された係合部１６とを備えている。螺合部１４は給水又は給湯のための配管１１の雌ねじ１３に螺合されている。突出部１５は壁本体１２の外側に設けられるボード材からなる壁材１７より外側に突出形成されている。係合部１６は突出部１５の先端外周に六角形状をなすように形成されている。
【００１９】
そして、図１の二点鎖線に示すように、その係合部１６に工具としてのスパナ１８を掛けて回すことにより、接続予備栓具の螺合部１４を給水又は給湯のための配管１１の端部から螺退させることができるようになっている。その後、壁材１７に開けた挿通孔１９から接続予備栓具を抜き出すようになっている。
【００２０】
第１係合用穴２０は突出部１５の内部に六角穴状に設けられ、図３の二点鎖線に示すように、その第１係合用穴２０に工具としての六角レンチ２１を掛けることにより、接続予備栓具の螺合部１４を給水、給湯用配管１１の端部から螺退させるようになっている。第２係合用穴２２は螺合部１４の内部に前記第１係合用穴２０より大きくなるように六角穴状に形成されている。
【００２１】
そして、図４の二点鎖線に示すように、突出部１５が破損して第１係合用穴２０が使用できなくなったとき、その第２係合用穴２２に六角レンチ２１を掛けることにより、接続予備栓具の螺合部１４を給水、給湯用配管１１の端部から螺退させることができるようになっている。
【００２２】
図４に示すように、給水又は給湯のための水栓金具２３は、その端部が壁材１７の挿通孔１９に挿通され、配管１１に螺合されるようになっている。
さて、建築物の内装工事として壁材１７を構築する前に、給水、給湯用配管１１に接続予備栓具が取付けられる。すなわち、接続予備栓具の螺合部１４を配管１１に螺入させた状態で突出部１５先端に設けられている係合部１６にスパナ１８を掛けて回し、螺合部１４を配管１１に螺合する。図１に示すように、その状態で壁本体１２の外面に、予め透設された挿通孔１９を接続予備栓具に嵌挿するようにして壁材１７を構築する。
【００２３】
このとき、接続予備栓具の突出部１５は螺合部１４より径が小さいので、壁材１７に透設する挿通孔１９は小さい孔で済む。そして、壁材１７の構築後に、接続予備栓具をその挿通孔１９から抜き出すことができるように、壁材１７の挿通孔１９を螺合部１４と同等以上の大きさとなるように削って孔を拡げる。
【００２４】
次に、図１に二点鎖線で示すように、接続予備栓具の係合部１６にスパナ１８を掛けて回し、螺合部１４を配管１１から螺退させる。そして、その螺合部１４を壁材１７の挿通孔１９を通して抜き出す。この場合、ポリアセタールで形成されている接続予備栓具の突出部１５が折損したときには、図３の二点鎖線に示すように、突出部１５内に設けられた第１係合用穴２０に六角レンチ２１を嵌め込んで回すことにより、螺合部１４を配管１１から螺退させる。
【００２５】
さらに、接続予備栓具の突出部１５全体が折損したときには、図４の二点鎖線に示すように、螺合部１４内に設けられた第２係合用穴２２に六角レンチ２１を嵌め込んで回すことにより、螺合部１４を配管１１から螺退させる。なお、折損部分が邪魔になって六角レンチ２１が第２係合用穴２２に入らないときには、その部分をカッターナイフなどで削ってから六角レンチ２１を第２係合用穴２２に嵌入する。
【００２６】
その後、図４に示すように、給水又は給湯のための水栓金具２３の端部を壁材１７の挿通孔１９に挿通し、配管１１に螺合する。このようにして、水栓金具２３の取付作業が終了する。
【００２７】
以上のように、この実施形態によれば、次のような効果が発揮される。
（１）  この実施形態の接続予備栓具によれば、接続予備栓具の突出部１５の外径が螺合部１４の外径よりも小さくなるように形成されている。このため、壁材１７に開ける挿通孔１９を大きくする必要がなく、しかも壁材１７を立てたときその挿通孔１９と接続予備栓具の位置が一致しない場合でも挿通孔１９を極端に大きくする必要がない。
【００２８】
従って、挿通孔１９のための孔開け作業や埋め戻し作業を容易にすることができるとともに、壁材１７の外観を良好に保持できる。
（２）  また、実施形態の接続予備栓具によれば、突出部１５の内部に第１係合用穴２０が設けられている。このため、突出部１５の先端側が折損したときでも、その第１係合用穴２０に六角レンチ２１を嵌め込むことにより、接続予備栓具を配管１１の端部から容易かつ確実に抜き出すことができる。
（３）  さらに、実施形態の接続予備栓具によれば、螺合部１４の内部に第１係合用穴２０よりも大きい第２係合用穴２２が設けられている。このため、突出部１５全体が折損したときでも、この第２係合用穴２２に六角レンチ２１を嵌合させることにより、接続予備栓具を配管１１からより確実に抜き出すことができる。
【００２９】
なお、前記実施形態を次のように変更して具体化することも可能である。
（ａ）  前記実施形態においては、接続予備栓具の突出部１５内に第１係合用穴２０を設け、螺合部１４内に第２係合用穴２２を設けたが、係合部１６内に六角穴状の係合用穴を設けたり、第１係合用穴２０と第２係合用穴２２を径の異なる２段階以上の係合用穴で形成したりすること。
【００３０】
このように構成すれば、接続予備栓具の突出部１５や係合部１６の破損状況に応じて適切に対応でき、接続予備栓具を配管１１から確実に抜き出すことができる。
（ｂ）  第１係合用穴２０と第２係合用穴２２の形状を六角以外に、２面フライス状などに形成すること。
【００３１】
このように構成しても、接続予備栓具を配管１１から容易に抜き出すことができる。
（ｃ）  接続予備栓具を鉄やアルミニウムなどの金属で構成したり、ガラス繊維強化樹脂（ＦＲＰ）などの樹脂で構成すること。
【００３２】
このように構成した場合、接続予備栓具を軽量化したり、製造コストを低減したりすることができる。
（ｄ）  接続予備栓具の突出部１５の中間部外周にスパナ１８を掛けるための係合部を設けこと。また、突出部１５の中間部と先端部の双方に係合部を設けること。
【００３３】
このように構成すれば、突出部１５の先端が破損した場合でも、突出部１５の中間部の係合部にスパナ１８を掛けることにより、接続予備栓具を給水、給湯用配管１１から容易に抜き出すことができる。
（ｅ）  接続予備栓具の突出部１５を螺合部１４の径より小さく形成するとともに、その外径寸法が先端ほど次第に細くなるように複数段に構成してそれらの外周に係合部を設けること。また、突出部１５の内部に外径寸法に対応させて係合用穴を設けること。
【００３４】
このように構成した場合、突出部１５の破損に対して複数段の係合部と係合用穴とで適切に対応することができる。
（ｆ）  前記第１係合用穴２０と第２係合用穴２２を同じ径及び形状とすること。
【００３５】
このように構成した場合、第１係合用穴２０又は第２係合用穴２２に対し、同じ工具を用いて接続予備栓具を給水、給湯用配管１１から抜き出すことができる。
【００３６】
さらに、前記実施形態より把握される技術的思想について以下に記載する。
（１）  前記突出部の全体にわたって係合部を設けた請求項１に記載の接続予備栓具。
【００３７】
このように構成した場合、突出部の先端が破損した場合でも、突出部の残りの部分に工具を掛けることにより、接続予備栓具を給水、給湯用配管から容易に抜き出すことができる。
（２）  前記突出部の外周に係合部を設けた請求項２に記載の接続予備栓具。
【００３８】
このように構成した場合、突出部の第１係合用穴と係合部とのいずれかを用いることにより、接続予備栓具を給水、給湯用配管から容易に抜き出すことができる。
【００３９】
【発明の効果】
この発明は、以上のように構成されているため、次のような効果を奏する。
請求項１に記載の発明の接続予備栓具によれば、壁材にあける孔を小さくして壁材の施工を容易にできるとともに、孔開けや埋め戻しの作業を容易にしつつ、壁の外観を良好に保持することができる。また、突出部が破損した場合に接続予備栓具を壁材の中からより確実に抜き取ることができる。
【００４０】
請求項２に記載の発明の接続予備栓具によれば、請求項１に記載の発明の効果に加え、突出部が破損した場合でも接続予備栓具を壁材の中から抜き取ることができる。
【図面の簡単な説明】
【図１】  実施形態の接続予備栓具の使用状態を示す部分断面図。
【図２】  図１の右側面図。
【図３】  接続予備栓具の第１係合用穴にレンチを嵌合した部分断面図。
【図４】  接続予備栓具の第２係合用穴にレンチを嵌合した部分断面図。
【図５】  水栓金具を配管に装着した状態を示す部分断面図。
【図６】  従来の接続予備栓具を配管に取付けた状態を示す部分断面図。
【図７】  図６の右側面図。
【符号の説明】
１１…配管、１４…螺合部、１５…突出部、１７…壁材、１８…工具としてのスパナ、２０…第１係合用穴、２１…工具としての六角レンチ、２２…第２係合用穴。
【図１】
0003756595.tif 000002
【図２】
0003756595.tif 000003
【図３】
0003756595.tif 000004
【図４】
0003756595.tif 000005
【図５】
0003756595.tif 000006
【図６】
0003756595.tif 000007
【図７】
0003756595.tif 000008